(57)【要約】【課題】  印刻面の形状にかかわらず、上下方向が確実に判断できる印鑑を提供する。【解決手段】  本考案の印鑑１０は印鑑本体（円柱形状、あるいは角柱形状）１１の一方端面を印刻面１３とし、印鑑本体の印刻面の長手方向反対の他端面を傾斜面１５とした構成を具備する。印刻面１３は印鑑本体１１の中心軸線に垂直に配設する、また、傾斜面１５は印刻面１３に対して角度Ｘ（１５°≦Ｘ≦４０°）となっていることを特徴とし、印刻面１３の印字方向は傾斜面に対応してその方向が決まっている。【選択図】        図１
0003110420.tif 000002
【実用新案登録請求の範囲】
【請求項１】
印鑑本体の一方端面を印刻面とする印鑑において、
印鑑本体の印刻面の長手方向反対の他端面を傾斜面としてなる印鑑。
【請求項２】
前記印刻面は印鑑本体の中心軸線に垂直に配設されてなる請求項１記載の印鑑。
【請求項３】
前記傾斜面は印刻面に対して角度Ｘ（１５°≦Ｘ≦４０°）となっていることを特徴とする請求項１、または２記載の印鑑。
【請求項４】
前記印刻面の印字方向は傾斜面に対応してその方向が決まっていることを特徴とする請求項１乃至３記載の印鑑。
【請求項５】
前記傾斜面はその頂部に印刻面に平行となる頂部平坦面を形成していることを特徴とする請求項１乃至４記載の印鑑。
【請求項６】
前記傾斜面には中央部分に頂部から底部に達する凹面を形成してなる請求項１乃至５記載の印鑑。
【請求項７】
前記傾斜面は中央部分を凸設させた凸面を形成してなる請求項１乃至５記載の印鑑。
【請求項８】
前記印鑑本体は円柱形状である請求項１乃至７記載の印鑑。
【請求項９】
前記印鑑本体は角柱形状である請求項１乃至７記載の印鑑。
【考案の詳細な説明】
【技術分野】
【０００１】
本考案は使いやすく、かつ制作が容易な印鑑に関する。
【背景技術】
【０００２】
通常、印鑑は円柱形状、あるいは角柱形状の本体の長手方向に伸びる中心線に対して垂直面を印刻面としていた。しかし、押印時、印刻面の上下方向がわからず、印刻面を見て判別する、あるいは、本体の壁面に上下方向を示す目印を設ける方法などがとられていた。
その場合であっても、捺印後、一端テーブルなどに置いたとき、本体が円柱形状である場合は転がってしまったり、載置面が傾斜している場合は特に回転して、印刻面の方向がわからなくなってしまい、再度押印する場合には印刻面の確認が必要となった。
また、下記の特許文献には、印材の印軸に対して斜めにカットした面を印刻面とした印鑑が開示されている。
【特許文献１】実開平１−８６５６２号公報
【考案の開示】
【考案が解決しようとする課題】
【０００３】
上記開示されている印鑑は印刻面が楕円となってしまい、印刻面を円形としたい場合には適応できなかった。
そこで、本考案は、印刻面の形状にかかわらず、上下方向が確実に判断できる印鑑を提供するものである。
【課題を解決するための手段】
【０００４】
そこで、本考案の印鑑は上記課題を解決するために、印鑑本体（円柱形上、あるいは角柱形状）の一方端面を印刻面とする印鑑において、印鑑本体の印刻面の長手方向反対の他端面を傾斜面とした構成を具備する。
【０００５】
前記印刻面は印鑑本体の中心軸線に垂直に配設する、また、前記傾斜面は印刻面に対して角度Ｘ（１５°≦Ｘ≦４０°）となっていることを特徴としている。
さらに、印刻面の印字方向は傾斜面に対応してその方向が決まっていることを特徴としている。
また、傾斜面はその頂部に印刻面に平行となる頂部平坦面を形成している、あるいは、中央部分に頂部から底部に達する凹面を形成している、あるいは、中央部分を凸設させた凸面を形成している。
【考案の効果】
【０００６】
この構成により本考案の印鑑は、傾斜面に対応して印刻面が形成されているので、例えば傾斜面の底部が印刻面の上部に対応した位置となるので、印刻面の上下を確認しなくても正しい方向を有する印影の捺印ができる。
さらに、円柱形状であっても、重心が偏っているので、偏っている重心が下となって、すなわち、頂部が下面となる状態で収まり、転がりにくくなる。
【考案を実施するための最良の形態】
【０００７】
以下、本考案を実施するための最良の形態を図面を参照して詳細に説明する。
【実施例１】
【０００８】
図１（ａ）は印鑑の正面図、（ｂ）は背面図、（ｃ）は側面図、（ｄ）は印刻面の平面図、図２は印鑑の斜視図、である。
印鑑１０は円柱状の本体１１の軸線に対して垂直面を印刻面１３としている。本体１１は金属類、動物の角や牙、木、天然石、プロインなどの成形プラスチックで形成されている。
印刻面１３に対して長手方向反対の面は傾斜面１５を形成している。傾斜面１５は本体１１の軸線に対する垂直面に対して、角度Ｘの傾斜角度を有する傾斜面としている。ここで、角度Ｘは１５°≦Ｘ≦４０°の範囲の角度とし、傾斜する傾斜面１５は頂部１５１から底部１５３とした楕円形状となっている。
そして、印刻面１３の印字は傾斜面１５の底部１５３に対応する位置に上部１３１を位置させて形成する。
【０００９】
このように構成する印鑑１０は、傾斜面１５の底部１５３が印刻面１３の上部１３１に対応した位置となるので、印刻面の上下を確認しなくても正しい方向を有する印影の捺印ができる。
さらに、円柱形状であっても、重心が偏っているので、偏っている重心が下となって、すなわち、頂部１５１が下面となる状態で収まり、転がりにくくなる。
【実施例２】
【００１０】
図３（ａ）はこの実施例に係る印鑑の正面図、（ｂ）は背面図、（ｃ）は印刻面の平面図、である。図４は図３の線ｘ−ｘ断面図、である。
印鑑３０は円柱状の本体３１の軸線に対して垂直面を印刻面３３としている。本体３１は金属類、動物の角や牙、木、天然石、プロインなどの成形プラスチックで形成されている。
印刻面３３に対して長手方向反対の面は傾斜面３５を形成している。傾斜面３５は本体３１の軸線に対する垂直面に対して、角度Ｘ（１５°≦Ｘ≦４０°）とする傾斜した面としている。そして、傾斜面３５の先端鋭角部分を印刻面３３に平行に切断し、頂平坦部３５１を形成する。すなわち、傾斜面３５は頂部３５１から底部３５３に至るほぼ楕円形状となっている。
そして、印刻面３３の印字は傾斜面３５の底部３５３に対応する位置が上部３３１となるように印字されている。
【００１１】
このように構成する印鑑３０は、捺印したい位置に対して傾斜面３５の頂平坦部３５１が下部となるように位置させることにより、印刻面３３の上部３３１が傾斜面３５の底部３５３に対応して位置し、印刻面の上下を確認しなくても正しい方向の印影が捺印できる。また、重心が偏っているので重心が下となって、すなわち、頂平坦部３５１が下面となる状態で収まり、転がりにくくなる。
【００１２】
さらに、図５に示すように、傾斜面３５と頂平坦部３５１との境界角部分に丸みを付けたアール部３５５を形成しても良い。この形態により、鋭角形状をなす部分がなくなって全体的に柔らかな形状となる。
【実施例３】
【００１３】
図６はこの実施例３に係る印鑑の（ａ）正面図、（ｂ）背面図、（ｃ）側面図、（ｄ）印刻面の平面図、図７（ａ）は図６線ｙ−ｙ断面図、（ｂ）は図６線ｚ−ｚ断面図である。
印鑑５０は円柱状の本体５１の軸線に対して垂直面を印刻面５３としている。本体５１は金属類、動物の角や牙、木、天然石、プロインなどの成形プラスチックで形成されている。
印刻面５３に対して印鑑本体５１の長手方向反対の面は傾斜面５５を形成している。傾斜面５５は本体５１の軸線に対する垂直面に対して、角度Ｘ（１５°≦Ｘ≦４０°）とする。傾斜面５５は頂部５５５、底部５５７とする楕円形状となっている。さらに、傾斜面５５はその中央部分を軸線方向に凹設した凹面５５０を形成している。
印刻面５３の印字は傾斜面５５の底部５５７に対応する位置が上部５３０となるように印字されている。
【００１４】
このように構成する印鑑５０は、傾斜面５５の凹面５５０に使用者の人差し指Ｆの腹面を当て、捺印したい位置に対して底部５５７を位置させることにより、印刻面５３の上部５３０が位置し、印刻面の上下を確認しなくても正しい方向の印影が捺印できる。・・・図８参照。
【００１５】
また、凹面５５０に指を当てることにより印鑑５０の把持が容易となり、かつ押圧力が増すとともに、押圧力が均一となるので、確実な捺印が可能となる。さらに本体５１が円柱であっても偏っている重心が下面となる状態で収まり、転がりにくくなる
【実施例４】
【００１６】
図９（ａ）はこの実施例４に係る印鑑の正面図、（ｂ）は背面図、（ｃ）は側面図、（ｄ）は線ｚ−ｚ断面図、（ｅ）は印刻面の平面図である。
この実施例に示す印鑑６０は、実施例３に示す印鑑が傾斜面を凹面としていたのに対し、頂部６５５から底部６５７とする傾斜面６５を凸面６５０としている。
【００１７】
このように構成する印鑑６０は、傾斜面６５の凸面６５０に使用者の手のひら、あるいは指を当て、捺印したい位置に対して底部６５７を位置させることにより、印刻面６３の上部６３０が位置し、印刻面の上下を確認しなくても正しい方向の印影が捺印できる。また、凸面６５０に手のひら、あるいは指を当てることにより印鑑６０の把持が容易となり、かつ押圧力が増すとともに、押圧力が均一となるので、確実な捺印が可能となる。さらに本体６１が円柱であっても重心が偏っているので、偏っている重心が下面となる状態で収まり、転がりにくくなる
【実施例５】
【００１８】
図１０はこの実施例５に係る印鑑の（ａ）正面図、（ｂ）背面図、（ｃ）側面図（ｅ）印刻面の平面図である。
この実施例に示す印鑑７０は、印鑑本体７１を角柱形状としている。
印鑑７０は角柱状の本体７１の中心軸線に対して垂直面を印刻面７３としている。本体７１は金属類、動物の角や牙、木、天然石、プロインなどの成形プラスチックで形成されている。
四角形状の印刻面７３に対して角柱形状の印鑑本体７１の反対の面は角度Ｘ（１５°≦Ｘ≦４０°）とする、頂部７５１、底部７５３とする傾斜した面７５としている。そして、傾斜面７５はその中央部分を頂部から下部に向かって凹設した凹面７５０を形成している。
そして、印刻面７３の印字上部７３１を傾斜面７５の底部７５３に対応する位置となるようにすることにより、印刻面の上下を確認しなくても正しい方向を有する印影の捺印ができる。
【００１９】
このように構成する印鑑７０は、傾斜面７５の凹面７５０に使用者の指の腹面を当てることにより印鑑７０の把持が容易となり、かつ押圧力が増すとともに、押圧力が均一となるので、確実な捺印が可能となる。
【００２０】
また、図１１に示す印鑑８０は傾斜面８５の頂部を印刻面に平行して切断し、頂平坦部８５１を形成している。そして、印刻面の印字を傾斜面８５の底部８５３に対応する位置とすることにより印刻面の上下を確認しなくても正しい方向を有する印影の捺印ができる。また、傾斜面８５と頂平坦部８５１との境界角部分に丸みを付けたアール部を形成することにより、鋭角形状をなす部分がなくなって全体的に柔らかな形状となる。
【図面の簡単な説明】
【００２１】
【図１】実施例１の説明図
【図２】実施例１の斜視図
【図３】実施例２の説明図
【図４】図３線ｘ−ｘ断面図
【図５】実施例２の他の形態例を示す断面図
【図６】実施例３の説明図
【図７】図６線ｙ−ｙ、線ｚ−ｚ断面図
【図８】印鑑の使用状態の説明図
【図９】実施例４の説明図
【図１０】実施例５の説明図
【図１１】実施例５の他の形態例を示す説明図
【符号の説明】
【００２２】
１０，３０，５０，６０，７０，８０  印鑑
１１，３１，５１，６１，７１，８５  本体
１３，３３，５３，６３，７３  印刻面
１５，３５，５５，６５，７５  傾斜面
１３１，３３１，５３０，６３０，７３１  印刻面上部
１５１，５５５，６５５，７５１  頂部
１５３，３５３，５５７，６５７，７５３，８５３  底部
３５１，８５１  頂平坦部
５５０，７５０  凹面
６５０  凸面
【図１】
0003110420.tif 000003
【図２】
0003110420.tif 000004
【図３】
0003110420.tif 000005
【図４】
0003110420.tif 000006
【図５】
0003110420.tif 000007
【図６】
0003110420.tif 000008
【図７】
0003110420.tif 000009
【図８】
0003110420.tif 000010
【図９】
0003110420.tif 000011
【図１０】
0003110420.tif 000012
【図１１】
0003110420.tif 000013